(57)【要約】【課題】地震発生時の振動による建築物と外装壁の異なる運動を許容しながら、笠木取付け金物が下からの風にあおられて笠木と共に巻上げられようとした場合に、笠木取付け金物及び笠木が破損するのを防止できる笠木取付け金物の風による巻上り防止方法と装置を提供する。【解決手段】外装材に中空セメント板２を用いた建築物Ａにおいて、建築物Ａの立ち上がり部分の上端に笠木取付け金物５を固定し、この笠木取付け金物５の中空セメント板２の上に位置する部分に取付けた上下に長いアンカー部材９を中空セメント板２の中空角孔２ａ内に上端開口から挿入し、笠木取付け金物５の風による巻上り時に前記アンカー部材９が中空角孔２ａの内周で外方位置の面に当接して固定点となることによって、笠木取付け金物５及び笠木８が破損するのを防止する。【選択図】図１
2007092351.tif 000002
【特許請求の範囲】
【請求項１】
外装材に中空セメント板を用いた建築物の立ち上がり部分における上端に笠木取付け金物を固定し、この笠木取付け金物の中空セメント板上に位置する部分に取付けた上下に長いアンカー部材を中空セメント板に形成された中空角孔内に上端開口から挿入し、笠木を固定した笠木取付け金物の風による巻上り時に前記アンカー部材が中空角孔の内周で外方位置の面に当接することによってこれを防止するようにした笠木取付け金物の風による巻上り防止方法。
【請求項２】
外装材に中空セメント板を用いた建築物の立ち上がり部分における上端に固定した笠木取付け金物と、この笠木取付け金物の中空セメント板上に位置する部分に取付けられ、中空セメント板に形成された中空角孔内に上端開口から挿入する上下に長いアンカー部材とで形成され、笠木を固定した笠木取付け金物の風による巻上り時に前記アンカー部材が中空角孔の内周で外方位置の面に当接することによってこれを防止するようになっている笠木取付け金物の風による巻上り防止装置。
【請求項３】
上記アンカー部材は、上端を笠木取付け金物に取付けた上下に長い棒状体で形成されている請求項２に記載の笠木取付け金物の風による巻上り防止装置。
【請求項４】
上記アンカー部材は、帯板を上下に長い下向きコ字状に折り曲げて形成され、その上端が笠木取付け金物に固定されている請求項２に記載の笠木取付け金物の風による巻上り防止装置。
【請求項５】
上記アンカー部材は、中空セメント板に形成された中空角孔に対して遊嵌するようになっている請求項２乃至４の何れかに記載の笠木取付け金物の風による巻上り防止装置。
【請求項６】
上記アンカー部材は、笠木取付け金物に対して中空セメント板の厚みと直交する方向に位置調整が可能となるよう取付けられている請求項２乃至５の何れかに記載の笠木取付け金物の風による巻上り防止装置。
【請求項７】
上記アンカー部材は、中空セメント板の中空角孔内面に対して当接した時に、このアンカー部材の前記内面に対する当接面が前記内面に平行となるように形成されている請求項２乃至６の何れかに記載の笠木取付け金物の風による巻上り防止装置。
【請求項８】
上記アンカー部材は、その上下方向において、笠木取付け金物に近づくほど、中空セメント板の厚み方向に沿う寸法が次第に拡大している請求項２乃至６の何れかに記載の笠木取付け金物の風による巻上り防止装置。
【請求項９】
上記アンカー部材は、その上下方向において、中間部にいくにしたがって、中空セメント板の厚み方向に沿う寸法が次第に拡大している請求項２乃至６の何れかに記載の笠木取付け金物の風による巻上り防止装置。
【請求項１０】
上記アンカー部材は、中空セメント板の中空角孔内面に対して当接する当接面が、上下方向に段差が連続する食い付き面になっている請求項２乃至９の何れかに記載の笠木取付け金物の風による巻上り防止装置。
【請求項１１】
上記アンカー部材は、中空セメント板の中空角孔内面に対して当接する部分に弾性緩衝材が設けられている請求項２乃至９の何れかに記載の笠木取付け金物の風による巻上り防止装置。
【請求項１２】
上記アンカー部材は、下端部が下向き半円形状になっている請求項２乃至１１の何れかに記載の笠木取付け金物の風による巻上り防止装置。
【発明の詳細な説明】
【技術分野】
【０００１】
この発明は、中空セメント板を外装材として用いた建築物において、屋上等の立ち上がり部分の上端に笠木を取付けるために使用した笠木取付け金物が、下からの風にあおられて笠木と共に巻上げられた場合に、笠木取付け金物及び笠木が破損するのを防止するようにした笠木取付け金物の風による巻上り防止方法と装置に関する。
【背景技術】
【０００２】
上記中空セメント板は、セメントを押出し成形することにより、複数の中空角孔が並んだ角形のブロックに形成され、建築物の外側に積み重ねて並べることにより建築物の外装壁材として使用され、この場合、建築物の屋上における立ち上がり部分の上端には、立ち上がり部分と外装壁の上端とを防水のために一体に覆う笠木の取り付けが行われる。
【０００３】
従来、上記建築物の立ち上がり部分の上端と外装壁の上端に対する笠木取り付け構造は、図８に示すように、上下可動式の結合金具１で中空セメント板２を建築物Ａに固定することにより、建築物Ａの外側に中空セメント板２を上下に積み重ねた外装壁Ｂを形成した後、建築物Ａの立ち上がり部分ａの上端と外装壁Ｂの上端にわたって覆い板３を敷設し、覆い板３の両側と立ち上がり部分ａ及び中空セメント板２の間をシーリング材４で防水処理し、前記覆い板３の上に笠木取付け金物５を載置し、この笠木取付け金物５を外嵌した押え金具６を介して建築物Ａの立ち上がり部分ａのコンクリート躯体にアンカー７を用いて固定し、上記笠木取付け金物５に笠木８を外嵌して係止するようになっている。
【０００４】
ところで、上記のような笠木取り付け構造は、笠木取付け金物５と中空セメント板２の直接的な固定がなく、笠木取付け金物５は建築物Ａの立ち上がり部分ａのコンクリート躯体にアンカー７を用いて固定された片持ち状態となっているため、建築物Ａがその外方より風を受けた場合に、笠木８に下方から巻き上がる風が加わると、捲れ上がろうとする笠木によって、笠木取付け金物５は巻き上げ方向の力を受け、その際、笠木取付け金物５は固定点が外装壁Ｂの外側から見て大きく離れているので、テコの原理が働いて固定点に大きな力がかかることで、図８の一点鎖線で示すように、笠木８がバタついたり笠木取付け金物５と笠木８が捲れ上がるという危険性がある。
【０００５】
このような笠木８がバタついたり笠木取付け金物５と笠木８が捲れ上がるのを防ぐため、図示省略したが、中空セメント板２の中空角孔に下地金物を嵌め込んで固定し、笠木取付け金物５の中空セメント板２の上に位置する部分を下地金物にビスで固定し、笠木取付け金物５の固定点を建築物Ａよりも外側の中空セメント板２自体におくことで、テコの原理によって固定点にかかる負荷を減少させる方法が提案されている（例えば、特許文献１参照）。
【特許文献１】特開２００４−１５６４２８号公報
【発明の開示】
【発明が解決しようとする課題】
【０００６】
ところで、中空セメント板を外装材として用いた建築物は、地震発生時の振動を受けると建築物本体と外装壁は異なる運動を示すことになるが、上記のように、中空セメント板の中空角孔に嵌め込んで固定した下地金物に笠木取付け金物をビスで固定する方法は、建築物本体と外装壁が笠木取付け金物と下地金物によって完全に固定化された状態になってしまい、このため、地震が発生した場合、完全に固定された部分に破損が生じる可能性があるという点で改善の余地が見出された。
【０００７】
そこで、この発明の課題は、地震発生時の振動による建築物本体と外装壁の異なる運動を許容しながら、笠木取付け金物が下からの風にあおられて笠木と共に巻上げられようとした場合にだけ、中空セメント板に対する固定点が生じるようにし、笠木取付け金物の建築物本体への固定部分にかかる負荷を減少させることで、笠木取付け金物及び笠木が破損するのを防止することができる笠木取付け金物の風による巻上り防止方法と装置を提供することにある。
【課題を解決するための手段】
【０００８】
上記のような課題を解決するため、方法の発明は、外装材に中空セメント板を用いた建築物の立ち上がり部分における上端に笠木取付け金物を固定し、この笠木取付け金物の中空セメント板上に位置する部分に取付けた上下に長いアンカー部材を中空セメント板に形成された中空角孔内に上端開口から挿入し、笠木を固定した笠木取付け金物の風による巻上り時に前記アンカー部材が中空角孔の内周で外方位置の面に当接することによってこれを防止するようにした構成を採用したものである。
【０００９】
また、装置の発明は、外装材に中空セメント板を用いた建築物の立ち上がり部分における上端に固定した笠木取付け金物と、この笠木取付け金物の中空セメント板上に位置する部分に取付けられ、中空セメント板に形成された中空角孔内に上端開口から挿入する上下に長いアンカー部材とで形成され、笠木を固定した笠木取付け金物の風による巻上り時に前記アンカー部材が中空角孔の内周で外方位置の面に当接することによってこれを防止するようになっている構成を採用したものである。
【００１０】
上記したアンカー部材は、以下に列記するような構造を採用することができる。
【００１１】
（ａ）上記アンカー部材は、上端を笠木取付け金物に取付けた上下に長い棒状体で形成されている。
【００１２】
（ｂ）上記アンカー部材は、帯板を上下に長い下向きコ字状に折り曲げて形成され、その上端が笠木取付け金物に固定されている。
【００１３】
（ｃ）上記アンカー部材は、中空セメント板に形成された中空角孔に対して遊嵌するようになっている。
【００１４】
（ｄ）上記アンカー部材は、笠木取付け金物に対して中空セメント板の厚みと直交する方向に位置調整が可能となるよう取付けられている。
【００１５】
（ｅ）上記アンカー部材は、中空セメント板の中空角孔内面に対して当接した時に、このアンカー部材の前記内面に対する当接面が前記内面に平行となるように形成されている
。
【００１６】
（ｆ）上記アンカー部材は、その上下方向において、笠木取付け金物に近づくほど、中空セメント板の厚み方向に沿う寸法が次第に拡大している。
【００１７】
（ｇ）上記アンカー部材は、その上下方向において、中間部にいくにしたがって、中空セメント板の厚み方向に沿う寸法が次第に拡大している。
【００１８】
（ｈ）上記アンカー部材は、中空セメント板の中空角孔内面に対して当接する当接面が、上下方向に段差が連続する食い付き面になっている。
【００１９】
（ｉ）上記アンカー部材は、中空セメント板の中空角孔内面に対して当接する部分に弾性緩衝材が設けられている。
【００２０】
（ｊ）上記アンカー部材は、下端部が下向き半円形状になっている。
【００２１】
ここで、アンカー部材は、中空セメント板に形成された中空角孔に対して単に上端開口から挿入され、この中空角孔に遊嵌しているだけであるので、アンカー部材と中空セメント板は完全な固定ではなくなり、これによって、地震発生時の振動による建築物本体と外装壁の異なる運動を許容することができる。
【００２２】
また、笠木取り付け金物の風による巻上り時に、アンカー部材の下端部が中空角孔の内周で外方位置の面に当接することによって固定点となり、笠木取付け金物の固定点を建築物よりも外側の外装壁自体におくことができ、これにより、笠木取付け金物の建築物本体への固定部分にかかる負荷を減少させ、笠木取付け金物及び笠木が破損するのを防止することになる。
【発明の効果】
【００２３】
この発明によると、アンカー部材を中空セメント板の中空角孔内に対して単に上端開口から挿入しただけであるので、アンカー部材と中空セメント板は完全な固定ではなくなり、これによって、地震発生時の振動による建築物本体と外装壁の異なる運動の許容を確保しながら、アンカー部材の下端部が中空角孔の内周で外方位置の面に当接することによって固定点となり、笠木取付け金物の固定点を建築物よりも外側の外装壁自体におくことができ、従って、地震発生時の振動による建築物本体と外装壁の破損発生を防ぎながら、笠木取付け金物が下からの風にあおられて笠木と共に巻上げられようとした場合に、笠木取付け金物の建築物本体への固定部分にかかる負荷を減少させ、笠木取付け金物及び笠木が破損するのを防止することができる。
【００２４】
また、建築物本体に固定する笠木取付け金物に取付けたアンカー部材を、中空セメント板の中空角孔内に挿入するだけであるので、構造が簡単で構成部品数も少なくコスト的に安価であり、笠木取付けの作業能率に負担をかけるようなこともない。
【発明を実施するための最良の形態】
【００２５】
以下、この発明の実施の形態を添付図面に基づいて説明する。なお、図８で示した従来の笠木取り付け構造と同一部分には同一符号を付して説明する。
【００２６】
図１と図２のように、上下に積み重ねた中空セメント板２で外装壁Ｂが形成された建築物Ａにおいて、中空セメント板２は周知の結合金具１を用いて建築物Ａに相対的な上下動を許容するように固定されている。
【００２７】
上記建築物Ａの立ち上がり部分ａと外装壁Ｂの上端を覆う笠木８の取付け構造は、立ち上がり部分ａと外装壁Ｂの上端にわたって帯状の覆い板３を敷設し、この覆い板３の外側縁と中空セメント板２の対向面間及び、覆い板３の内側縁と立ち上がり部分ａの間をシーリング材４で防水し、前記覆い板３の上に複数の笠木取付け金物５を覆い板３の長さ方向に所定間隔の配置で載置し、各笠木取付け金物５を上から被せた押え金具６を介して覆い板３と共に立ち上がり部分ａのコンクリート躯体にアンカー７を用いて固定した後、上記笠木取付け金物５に笠木８を上から外嵌して係止するようになっている。
【００２８】
上記笠木取付け金物５は、図３と図４のように、アルミ等の金属材料を用い、立ち上がり部分ａの内外方向に長い帯板状本体５ａの外側端部に上下へ突出する笠木係止片５ｂと、内側端部に下方へ屈曲する笠木係止片５ｃを設けて形成され、この笠木取付け金物５を立ち上がり部分ａと外装壁Ｂの上端にわたって配置し、帯板状本体５ａの立ち上がり部分ａの上に位置する部分を、帯板状本体５ａに外嵌固定した押え金具６を介して覆い板３と共に立ち上がり部分ａのコンクリート躯体にアンカー７を用いて固定する。
【００２９】
上記笠木取付け金物５の風による巻上り防止装置は、この笠木取付け金物５と、笠木取付け金物５における帯板状本体５ａの中空セメント板２上に位置する部分に固定した、上下に長いアンカー部材９とで形成され、アンカー部材９を中空セメント板２に形成された中空角孔２ａ内に上端の開口から挿入するようになっている。
【００３０】
このアンカー部材９の笠木取付け金物５に対する取付け位置は、アンカー部材９を中空セメント板２に形成された中空角孔２ａ内に上端開口から挿入した状態で、笠木８を固定した笠木取付け金物５が風で所定角度を巻上った時点で、前記アンカー部材９が中空角孔２ａの内周で外方位置の面に対して当接するように設定されている。
【００３１】
従って、アンカー部材９は、笠木取付け金物５の風による巻上り時にその下端が中空角孔２ａの内周で外方位置の面に当接することによって固定点となり、笠木取付け金物５の固定点を建築物Ａよりも外側の外装壁Ｂ自体におき、笠木８が下からの風にあおられて笠木取付け金物５と共に巻上げられようとした場合に、笠木取付け金物５の建築物Ａへの固定部分にかかる負荷を減少させ、笠木取付け金物５及び笠木８が破損するのを防止するようになっている。
【００３２】
図１乃至図４示す第１の実施の形態のアンカー部材９は、アルミやステンレス等の金属材料を用い、中空角孔に対して遊嵌する上下に長い棒状体９ａに形成され、その上端に広幅の頭部９ｂが設けられている。
【００３３】
笠木取付け金物５は、上記アンカー部材９を取付けるため、帯板状本体５ａの下面で、立ち上がり部分ａに固定したとき中空セメント板２の中空角孔２ａの直上に位置する部分に、一対の鉤形片を対向させることによって形成された下面開放状の横溝１０が設けられ、この横溝１０に前記頭部９ｂを横から挿入することによってアンカー部材９が吊り下げ状に取付けられるようになっている。
【００３４】
上記のように、帯板状本体５ａの下面に設けた横溝１０にアンカー部材９の頭部９ｂを挿入して吊り下げ状に取付けると、アンカー部材９は、帯板状本体５ａの長さ方向に対して固定されて同方向への折れ曲がりの発生がなく、笠木取付け金物５の風による巻上り時にその棒状体９ａの下端が中空角孔２ａの内周で外方位置の面に当接することによって確実に固定点となる。
【００３５】
上記のように、帯板状本体５ａの下面に設けた横溝１０に、アンカー部材９の頭部９ｂを横からスライドさせてアンカー部材９を吊り下げ状に取付けるようにすれば、アンカー部材が、笠木取付け金物に対して中空セメント板の厚みと直交する方向に取付け位置の調整が可能になる。
【００３６】
このため、図４に示すように、笠木取付け金物５が中空角孔２ａの直上からずれた配置になった場合でも、この笠木取付け金物５の中空角孔２ａ上に臨む部分の位置にアンカー部材９を取付けることができる。なお、笠木取付け金物５の幅は、中空セメント板２の隣接する中空角孔２ａ間の間隔よりも広幅になっている。
【００３７】
図５と図６は、上記した棒状体からなるアンカー部材９の他の実施の形態を示している。なお、上述した第１の実施の形態のアンカー部材９と同一部分には、同一符号を付して説明に代える。
【００３８】
図５（ａ）と（ｂ）に示す第２の実施の形態のアンカー部材９は、笠木取付け金物５に取付けた通常の状態で、図５（ａ）のように、棒状体９ａの中空セメント板２の中空角孔２ａ内面に対する当接面９ｃを、中空角孔２ａの内面に対して下端下がりに傾斜させ、図５（ｂ）のように、笠木８を固定した笠木取付け金物５が風で所定角度を巻上り、前記当接面９ｃが中空セメント板２の中空角孔２ａの内面に対して当接した時に、この前記中空角孔２ａの内面に対する当接面９ｃが前記内面に平行となるように形成したものである。
【００３９】
このような構造を採用すると、中空セメント板の中空角孔２ａ内面に棒状体９ａが当接したときに、中空セメント板２に対して棒状体９ａが単位面積当りに与える力を分散させ、中空セメント板２の破損発生を防ぐことができる。
【００４０】
図６（ａ）に示す第３の実施の形態のアンカー部材９は、棒状体９ａの上下方向において、笠木取付け金物５に近づくほど、中空セメント板２の厚み方向に沿う寸法が次第に拡大している構造としたものである。
【００４１】
このようにすると、笠木取付け金物５に対する棒状体９ａの固定点付近の厚みが大きくなり、棒状体９ａの耐久力を上げることができると同時に、中空セメント板２の中空角孔２ａに対する棒状体９ａの挿入作業が容易になる。
【００４２】
図６（ｂ）に示す第４の実施の形態のアンカー部材９は、棒状体９ａの上下方向において、中間部にいくにしたがって、中空セメント板２の厚み方向に沿う寸法が次第に拡大している構造としたものである。
【００４３】
このようにすると、棒状体９ａの重心を長さ方向の中心におくことができ、笠木取付け金物５及び、その連結されてなる棒状体９ａの施工時の安定性を向上させ、施工性の向上を図ることができる。
【００４４】
図６（ｃ）に示す第５の実施の形態のアンカー部材９は、棒状体９ａの中空セメント板２の中空角孔２ａ内面に対して当接する当接面９ｃが、上下方向に鋸歯９ｄのような段差が連続する食い付き面になっている構造としたものである。
【００４５】
棒状体９ａの中空セメント板２に対する当接面９ｃを上記のような食い付き面にすると、棒状体９ａが中空セメント板２に当接した場合に、棒状体９ａを中空セメント板２にしっかりと固定することができ、風による巻き上がり防止力をアップさせることができる。
【００４６】
なお、第５の実施の形態の食い付き面を形成する鋸歯９ｄは、上述した各実施の形態に複合して採用することができる。
【００４７】
図６（ｄ）に示す第６の実施の形態のアンカー部材９は、棒状体９ａの中空セメント板２の中空角孔２ａ内面に対して当接する当接面９ｃをゴム等の弾性緩衝材９ｅで形成した構造としたものである。
【００４８】
このように、棒状体９ａの中空角孔２ａ内面に対する当接面９ｃを弾性緩衝材９ｅで形成すると、棒状体９ａが中空セメント板２に当接したときの衝撃や当接力を和らげ、中空セメント板２の破損発生を防ぐことができる。
【００４９】
上記弾性緩衝材９ｅの取付け方法は、例えば、棒状体９ａにゴム筒を被せるようにしたり、棒状体９ａにゴム板を接着固定すればよく、このような弾性緩衝材９ｅの取付けは、上述した第１乃至第４の各実施の形態に複合して採用することができる。
【００５０】
上記した各実施の形態において、図６（ａ）と（ｂ）で示したように、棒状体９ａの下端部を下向きの半円形部９ｆに形成し、棒状体９ａを中空角孔２ａ内に挿入するとき、棒状体９ａの下端部の角が中空セメント板２に当ることにより、中空セメント板２を破損させるのを防ぐようにすることができる。
【００５１】
図７に示す第７の実施の形態のアンカー部材９は、金属製の帯板を用い、笠木取付け金物５における帯板状本体５ａの幅方向に上から嵌まるよう、上下に長い下向きコ字状に折り曲げて形成され、その上端壁９ｇを帯板状本体５ａの上面で中空セメント板２の中空角孔２ａ上に位置する部分に、カシメやビス止め、溶接等の手段で固定することで、両側の対向壁９ｈが帯板状本体５ａの両側から下向きに突出した取付けとなる。
【００５２】
上記のように、下向きコ字状のアンカー部材９を笠木取付け金物５における帯板状本体５ａに取付けると、アンカー部材９は、帯板状本体５ａの長さ方向に対して固定化され、笠木取付け金物５の風による巻上り時にその対向壁９ｈの下端が中空角孔２ａの内周で外方位置の面に当接することによって確実に固定点となる。
【００５３】
このような下向きコ字状のアンカー部材９において、両側の対向壁９ｈに対して、上述した第２乃至第６の各実施の形態で示した棒状体９ａの形状や構造を採用することができる。
【００５４】
上記した各実施の形態において、アンカー部材９の帯板状本体５ａへの固定は図示例に限るものではなく、アンカー部材９の下端が中空角孔２ａの内周で外方位置の面に当接することによって固定点が得られるように固定すればよく、また、アンカー部材９の長さは前記固定点が得られる範囲で任意に設定することができ、更に、各アンカー部材９は、中空セメント板２に形成された中空角孔２ａの内径に対して余裕があって遊嵌するような条件に形成され、アンカー部材９と中空セメント板２が完全な固定でないようにすることによって、地震発生時の振動による建築物Ａと外装壁Ｂの異なる運動を許容することができるようにしている。
【００５５】
この発明の笠木取付け金物の風による巻上り防止装置は、上記のような構成であり、次に、笠木取付け金物の風による巻上り防止方法を図１と図２を用いて説明する。
【００５６】
図１のように、建築物Ａにおける立ち上がり部分ａと外装壁Ｂの上端にわたって帯状の覆い板３を敷設し、この覆い板３の外側縁と中空セメント板２の対向面間及び、覆い板３の内側縁と立ち上がり部分ａの間をシーリング材４で防水処理し、前記覆い板３上に複数の笠木取付け金物５を覆い板３の長さ方向に所定間隔の配置で載置し、各笠木取付け金物５の帯板状本体５ａに取付けたアンカー部材９を、覆い板３に設けた孔から中空セメント板２に形成された中空角孔２ａ内に上端開口から挿入し、この状態で笠木取付け金物５を外嵌した押え金具６を介して覆い板３と共に立ち上がり部分ａのコンクリート躯体にアンカー部材９を用いて固定し、この後、前記笠木取付け金物５に笠木８を上から外嵌して係止する。
【００５７】
上記のように笠木８を取付けた通常の状態において、図１のように、アンカー部材９は中空セメント板２の中空角孔２ａに対して遊嵌し、中空角孔２ａと接触していないので、アンカー部材９と中空セメント板２を固定することはなく、これによって、地震発生時の振動による建築物Ａと外装壁Ｂの異なる運動を許容することができるようになっている。
【００５８】
上記のような笠木８の取付け状態において、建築物Ａがその外方より風を受けた場合、笠木８が下方から巻き上がる風を受けると、笠木取付け金物５は巻き上げ方向の力を受け、その際、笠木取付け金物５の建築物Ａにおける立ち上がり部分ａへの固定点に力がかかることで、外側が捲れ上がろうとするが、このとき、図２のように、笠木取付け金物５に取付けたアンカー部材９が傾斜動し、その下端が中空セメント板２に形成された中空角孔２ａの内周で外方位置の面に当接し、この当接部分が捲れ上がりに抵抗する固定点となり、これによって、笠木取付け金物５の固定点を建築物Ａよりも外側の外装壁Ｂ自体におくことができ、笠木取付け金物５の建築物Ａへの固定部分にかかる負荷を減少させ、笠木８がバタついたり笠木取付け金物５及び笠木８が破損するのを防止することができる。
【図面の簡単な説明】
【００５９】
【図１】風による巻上り防止装置として第１の実施の形態のアンカー部材を用いた笠木取り付け構造の縦断面図
【図２】風による巻上り防止装置として第１の実施の形態のアンカー部材を用い、このアンカー部材が固定点を形成した状態を示す笠木取り付け構造の縦断面図
【図３】第１の実施の形態のアンカー部材と笠木取付け金物の分解斜視図
【図４】第１の実施の形態のアンカー部材をスライド方式で笠木取付け金物に取付ける場合の斜視図
【図５】（ａ）は風による巻上り防止装置として第２の実施の形態のアンカー部材を用いた笠木取り付け構造の縦断面図、（ｂ）はこのアンカー部材が固定点を形成した状態を示す笠木取り付け構造の縦断面図
【図６】（ａ）は第３の実施の形態のアンカー部材を示す斜視図、（ｂ）は第４の実施の形態のアンカー部材を示す斜視図、（ｃ）は第５の実施の形態のアンカー部材を示す斜視図、（ｄ）は第６の実施の形態のアンカー部材を示す斜視図
【図７】第７の実施の形態のアンカー部材を笠木取付け金物に固定した状態の斜視図
【図８】従来の笠木取り付け構造を示す縦断面図
【符号の説明】
【００６０】
１          結合金具
２          中空セメント板
３          覆い板
４          シーリング材
５          笠木取付け金物
６          押え金具
７          アンカー
８          笠木
９          アンカー部材
９ａ        棒状体
９ｂ        頭部
９ｃ        当接面
９ｄ        鋸歯
９ｅ        弾性緩衝材
９ｆ        半円形部
９ｇ        上端壁
９ｈ        対向壁
１０        横溝
【図１】
2007092351.tif 000003
【図２】
2007092351.tif 000004
【図３】
2007092351.tif 000005
【図４】
2007092351.tif 000006
【図５】
2007092351.tif 000007
【図６】
2007092351.tif 000008
【図７】
2007092351.tif 000009
【図８】
2007092351.tif 000010